(57)【要約】【課題】コンパクト化が可能な隠し蝶番を提供する。【解決手段】扉側ケーシング３、縦枠側ケーシング４と、夫々の一端を交差させた状態でピン２５により相対回動可能に連結され、各他端が夫々前記ケーシング３，４に水平回動可能に軸支された第１、第２リンク材１９，２０と、これらのリンク材１９，２０の上下に夫々配置され、中央部にピン２５が挿通する孔３２，３３を有し、該中央部から水平方向に延びる２つのアーム部を有し、一方のアーム部先端部には夫々第１、第２リンク材１９，２０に回動可能に軸支するためのピン挿通孔３４，３５が設けられ、他方のアーム部先端部にはガイドピン３６，３７が垂直方向に突設された上部および下部の各ガイドアーム３０，３１と、ケーシング３，４の内部に夫々設けられ各ガイドアーム３０，３１に設けたガイドピン３６，３７がスライド自在に係合するスライド溝１３，１８を有するガイド部３ｅ，４ｅとを備える。【選択図】図１
2008008015.tif 000002
【特許請求の範囲】
【請求項１】
一対のケーシングと、
それぞれの一端を交差させた状態でピンにより相対回動可能に連結され、各他端がそれぞれ前記一対の各ケーシングに水平回動可能に軸支された第１および第２リンク材と、
該第１および第２リンク材の上下にそれぞれ配置され、中央部に前記ピンが挿通する孔を有し、該中央部から水平方向に延びる２つのアーム部を有し、一方のアーム部先端部にはそれぞれ第１および第２リンク材に回動可能に軸支するためのピン挿通孔が設けられ、他方のアーム部先端部にはガイドピンが垂直方向に突設された上部および下部の各ガイドアームと、
前記一対のケーシングの内部にそれぞれ設けられ、前記上部および下部の各ガイドアームに設けたガイドピンがスライド自在に係合するスライド溝を有するガイド部とを備えたことを特徴とする隠し蝶番。
【請求項２】
前記上部および下部の各ガイドアームは、略く字形の形状を有し、中央部のピンが挿通する孔の中心から一方のアーム部先端のピン挿通孔の中心までの長さ（Ｌ１）および他方のアーム部先端のガイドピンの中心までの長さ（Ｌ２）がいずれも１８〜２２ｍｍである請求項１に記載の隠し蝶番。
【請求項３】
前記一対のケーシングは、それぞれケーシング本体と、該ケーシング本体内に収容され該ケーシング本体の底面に取付けられた位置調節部材とからなり、
前記第１および第２リンク材が、各ケーシングの位置調節部材にそれぞれ水平回動可能に軸支されており、
前記一対のケーシングのうち、一方のケーシングに設けられた位置調節部材の底面には上下方向、左右方向および前後方向のうち１方向または２方向の位置調節手段が設けられ、他方のケーシングに設けられた位置調節部材の底面には前記第１の位置調節部材で調節されない他の方向の位置調節手段が設けられている請求項１または２に記載の隠し蝶番。
【請求項４】
前記一対のケーシングにそれぞれ設けられるガイド部が、各ケーシングの位置調節部材の上端または下端を折曲した折曲片から構成され、かつ各ケーシングの両折曲片が上下方向に離隔対向している請求項１〜３のいずれかに記載の隠し蝶番。
【請求項５】
前記一対のケーシングのうち一方のケーシングが、扉の端面に埋め込まれる扉側ケーシングであり、他方のケーシングが、扉を取付ける枠体の縦枠端面に埋め込まれる縦枠側ケーシングである請求項１〜４のいずれかに記載の隠し蝶番。
【請求項６】
前記縦枠側ケーシングを構成するケーシング本体および位置調節部材のいずれか一方の下端面に係合突起部が設けられ、他方の下端面に該係合突起部が係合する孔部が設けられている請求項５に記載の隠し蝶番。
【発明の詳細な説明】
【技術分野】
【０００１】
本発明は、扉を枠体に取付けたり、折り戸のように戸同士を折り畳み自在に連結したりするための隠し蝶番に関し、より詳しくはコンパクト化が可能でかつ施工性にも優れた隠し蝶番に関する。
【背景技術】
【０００２】
隠し蝶番は、扉を閉じた状態では間仕切り空間のどちらからも蝶番が見えないので、扉の外観を損なわず、また開閉時の扉と枠体の縦枠との隙間が小さいので、子供等が該隙間で指を詰めるなどの事故を防止できるという利点がある。
【０００３】
このような隠し蝶番は、一般に、一端を回動可能に軸支した一対のリンク材が交差配置されて他端が相互に他方のケーシング内へ入り込む基本構成を有している。（特許文献１および非特許文献１）。
【０００４】
例えば、非特許文献１に記載された隠し蝶番を図１０に示す。この隠し蝶番を用いた扉の閉状態および１８０°開状態を図１１（a）および(b)にそれぞれ示す。すなわち、扉６０および枠体の縦枠６１の各端面に埋め込み固定されたケーシング６２，６３にそれぞれ略く字形のリンク部材６４，６５が一端を回動可能に軸支されて他端が他方のケーシングへ入り込む交差態様で配設され、交差部分が回動可能に軸支されるとともに、他端に設けたガイドピン６６，６７が他方のケーシングに設けたスライド溝６８，６９にスライド自在に係合した係合した構造を有する
【０００５】
【特許文献１】特開平６−２８８１３９号公報
【非特許文献１】シモンズベルク社（SIMONSWERK）、「Product, Information, Data」、[平成１８年６月２０検索]、インターネット＜URL: http://212.100.32.145/english/aktuelles/news/news05.sthml>
【発明の開示】
【発明が解決しようとする課題】
【０００６】
従来の隠し蝶番、特に建物の扉に取付けられる隠し蝶番は、扉の荷重を支持する必要があるため、図１１（a）および(b)に示すように５本のピン６６，６７，７０，７１，７２で扉の荷重を支持するように設計されている。そのため、ケーシングを収容する凹部の間口および奥行が大きくなり、従って扉６０の厚みおよび縦枠６１の厚みも大きくならざるをえなかった。
ところが、近時は、コストダウンの要請から、扉６０や縦枠６１の厚みを薄くすることが要請されている。そのためには、隠し蝶番をコンパクト化することが必要である。
【０００７】
一方、従来の枠体への扉の取付けには、１人の作業員が扉を保持し、他の作業員が扉を枠体に取付けるというように、作業には最低でも作業員が２人必要であった。そのため、作業性、施工性を向上させ、１人の作業員で簡単に扉を取付けることができるようにすることが求められている。
【０００８】
本発明の主たる課題は、コンパクト化が可能な隠し蝶番を提供することである。本発明の他の課題は、扉の取付けに際しての作業性、施工性が向上した隠し蝶番を提供することである。
【課題を解決するための手段】
【０００９】
上記課題を解決するための本発明の隠し蝶番は、以下の構成を有する。
（1）一対のケーシングと、それぞれの一端を交差させた状態でピンにより相対回動可能に連結され、各他端がそれぞれ前記一対の各ケーシングに水平回動可能に軸支された第１および第２リンク材と、該第１および第２リンク材の上下にそれぞれ配置され、中央部に前記ピンが挿通する孔を有し、該中央部から水平方向に延びる２つのアーム部を有し、一方のアーム部先端部にはそれぞれ第１および第２リンク材に回動可能に軸支するためのピン挿通孔が設けられ、他方のアーム部先端部にはガイドピンが垂直方向に突設された上部および下部の各ガイドアームと、前記一対のケーシングの内部にそれぞれ設けられ、前記上部および下部の各ガイドアームに設けたガイドピンがスライド自在に係合するスライド溝を有するガイド部とを備えたことを特徴とする。
（2）前記上部および下部の各ガイドアームは、略く字形の形状を有し、中央部のピンが挿通する孔の中心から一方のアーム部先端のピン挿通孔の中心までの長さ（Ｌ１）および他方のアーム部先端のガイドピンの中心までの長さ（Ｌ２）がいずれも１８〜２２ｍｍである（1）に記載の隠し蝶番。
（3）前記一対のケーシングは、それぞれケーシング本体と、該ケーシング本体内に収容され該ケーシング本体の底面に取付けられた位置調節部材とからなり、前記第１および第２リンク材が各ケーシングの位置調節部材にそれぞれ水平回動可能に軸支されており、前記一対のケーシングのうち、一方のケーシングに設けられた位置調節部材の底面には上下方向、左右方向および前後方向のうち１方向または２方向の位置調節手段が設けられ、他方のケーシングに設けられた位置調節部材の底面には前記第１の位置調節部材で調節されない他の方向の位置調節手段が設けられている（1）または（2）に記載の隠し蝶番。
（4）前記一対のケーシングにそれぞれ設けられるガイド部が、各ケーシングの位置調節部材の上端または下端を折曲した折曲片から構成され、かつ各ケーシングの両折曲片が上下方向に離隔対向している（1）〜（3）のいずれかに記載の隠し蝶番。
（5）前記一対のケーシングのうち一方のケーシングが、扉の端面に埋め込まれる扉側ケーシングであり、他方のケーシングが、扉を取付ける枠体の縦枠端面に埋め込まれる縦枠側ケーシングである（1）〜（4）のいずれかに記載の隠し蝶番。
（6）前記縦枠側ケーシングを構成するケーシング本体および位置調節部材のいずれか一方の下端面に係合突起部が設けられ、他方の下端面に該係合突起部が係合する孔部が設けられている（5）に記載の隠し蝶番。
【発明の効果】
【００１０】
上記（1）に記載の隠し蝶番によれば、第１および第２リンク材の上下にガイドアームがそれぞれ配設された、いわゆる三層構造を有するので、隠し蝶番のコンパクト化を図ることができ、それによって扉や縦枠の厚みも薄くできる薄型化が可能となる。
上記（2）に記載の隠し蝶番によれば、ガイドアームのアーム部の長さが１８〜２２ｍｍであるので、例えば厚さが２２〜３６ｍｍ程度の縦枠や扉であっても確実に取付けることができ、従来にないコンパクトな隠し蝶番を提供することができる。
上記（3）に記載の隠し蝶番によれば、各ケーシング本体内に収容された位置調節部材によって、扉の位置調節（上下方向、左右方向および前後方向の三次元位置調節）が可能であるので、隠し蝶番をよりコンパクト化できる。
上記（4）に記載の隠し蝶番によれば、ガイドアームのガイドピンが係合するスライド溝を有するガイド部が位置調節部材の上端または下端を折曲した折曲片から構成されているので、構造が簡単になり、しかもスムーズにガタツキなく扉の開閉が可能になる。
上記（5）、（6）に記載の隠し蝶番によれば、あらかじめ縦枠内の凹部にケーシング本体を取付け、扉の端面にそれ以外の構成部品を取付けた後、作業者が扉を持って、リンク材に取付けた縦枠側位置調節部材をケーシング本体内に押し込むことにより、ケーシング本体および位置調節部材のいずれか一方に設けた係合突起部が、他方に設けた孔部に係合して、仮止めすることができるので、１人の作業者で扉の取付け作業を簡単に行うことができ、作業性および施工性が向上する。
【発明を実施するための最良の形態】
【００１１】
以下、本発明の一実施形態にかかる隠し蝶番について図面を参照して詳細に説明する。図１は本発明の一実施形態にかかる隠し蝶番の正面図、図２はその分解斜視図、図３は図１のX-X線断面図である。
【００１２】
図１〜３に示す隠し蝶番は、枠体の縦枠２に扉１を取付けるものである。縦枠２および扉１の各端面に形成された凹部１００，１０１（図４〜６等参照）にはそれぞれケーシング3，４が収容され、該ケーシング3，４の上下に形成した取付孔5に木ねじ等を挿通させて縦枠２および扉１にそれぞれ固定される。なお、以下の説明において、上下とは、扉および縦枠に組み込んだ使用状態における上下方向をいう。
【００１３】
図２に示すように、扉１側のケーシング3は、主としてケーシング本体３aと、位置調節部材３bとから構成される。ケーシング本体３aは金属板材を断面ハット形に形成し、かつ片側に板材を折り曲げて側壁３ｃが形成されている。ケーシング本体３aの底面には、位置調節用の複数の孔６，７，８が穿設されている。また、位置調節部材３ｂも、同様に金属板材を折り曲げて片側に側壁３ｄを形成すると共に、該側壁３ｄの先端中央部には、板金加工にて金属板材の一部を筒状に曲げてピン挿通孔９が形成されている。位置調節部材３ｂの底面には、位置調節用の複数の孔１０，１１，１２が穿設されている。さらに、位置調節部材３ｂの下部には、スライド溝１３が形成されたガイド部３eが板材を水平に折り曲げて形成されている。なお、３ｆはケーシング本体３aの側面部に嵌め付ける側壁である。
【００１４】
一方、縦枠２側のケーシング４は、扉１側のケーシング3と同様に、主としてケーシング本体４aと、位置調節部材４ｂとから構成される。ケーシング本体４aは、前面が開口した箱形で構成され、その上下に取付孔5を形成した鍔部１４が形成されている。ケーシング本体４aの底面には２つのねじ孔１５が穿設されている。また、位置調節部材４ｂは、金属板材を折り曲げて片側に側壁４ｄを形成すると共に、該側壁４ｄの先端両側部に、板金加工にて金属板材の一部を筒状に曲げてピン挿通孔１６，１６が形成されている。位置調節部材４ｂの底面には、水平方向に長い位置調節用の長孔１７が穿設されている（図１を参照）。さらに、位置調節部材４ｂの上部には、スライド溝１８が形成されたガイド部４eが水平に折り曲げ形成されている。
【００１５】
これらのケーシング3，４を回動自在に連結するために、図２に示すような形状を有する第１および第２リンク材１９，２０を使用する。第１リンク材１９は、略「工」字形の金属板材の上下の片を板金加工によって筒状に曲げて、両側上下端にピン挿通孔２１，２２を形成している。第２リンク材２０は、上記と同様の板金加工によって金属板材を筒状に曲げて、両側中央部にピン挿通孔２３，２４を形成している。
【００１６】
ここで、第１リンク材１９における一方のピン挿通孔２１、２１の間隙は、該間隙内に、扉１側の位置調節部材３ｂに形成されたピン挿通孔９が入る（すなわち交差する）長さを有する。また、他方のピン挿通孔２２，２２の間隙は、第２リンク材２０の一方のピン挿通孔２３が入る（すなわち交差する）長さを有する。第２リンク材２０の他方のピン挿通孔２４は、縦枠２側の位置調節部材４ｂに形成されたピン挿通孔１６，１６の間隙に入る（すなわち交差する）長さを有する。
【００１７】
また、第１および第２リンク材１９，２０の上下には、ガイドアーム３０，３１が配置される。これらのガイドアーム３０，３１は、いずれも略く字形の形状を有し、中央部に中央ピン挿通孔３２，３３が形成され、該中央部から水平方向に延びる２つのアーム部のうち、一方のアーム部先端部にそれぞれピン挿通孔３４，３５が形成され、他方のアーム部先端部にはガイドピン３６，３７が垂直方向に突設される。
【００１８】
前記上部および下部の各ガイドアーム３０，３１は、いずれも図９（a）に示すように、中央部のピン挿通孔３２，３３の中心から一方のアーム部先端のピン挿通孔３４，３５の中心までの長さ（Ｌ１）および他方のアーム部先端のガイドピン３６，３７の中心までの長さ（Ｌ２）がいずれも１８〜22ｍｍであるのがコンパクト化の上で好ましい。
【００１９】
次に本実施形態に係る隠し蝶番を組み立てる手順を説明する。図２に示すように、中央ピン２５（軸棒）を下側ガイドアーム３１の中央ピン挿通孔３３、第１リンク材１９の下部ピン挿通孔２２、第２リンク材２０のピン挿通孔２３、第１リンク材１９の上部ピン挿通孔２２および上側ガイドアーム３０の中央ピン挿通孔３２の順に挿通させて、第１リンク材１９と第２リンク材２０とを一端を交差させた状態で相対回動可能に連結し、かつ第１リンク材１９と第２リンク材２０の上下にガイドアーム３０、３１を配置する。挿通後、中央ピン２５の先端はリベッティング（かしめ）などを行って抜け止めを図るのがよい。
【００２０】
また、扉側ピン２６（軸棒）を上側ガイドアーム３０のピン挿通孔３４、第１リンク材１９の上部ピン挿通孔２１、扉１側の位置調節部材３ｂのピン挿通孔９、第１リンク材１９の下部ピン挿通孔２１の順に挿通させることによって第１リンク材１９と扉１側の位置調節部材３ｂとを回動可能に連結する。挿通後、下側ピン挿通孔２１を外周面からプレスして扉側ピン２６に圧着させるのがよい。
【００２１】
さらに、縦枠側ピン２７（軸棒）を下側ガイドアーム３１のピン挿通孔３５、縦枠２側の位置調節部材４ｂの下部ピン挿通孔１６、第２リンク材２０のピン挿通孔２４、縦枠２側の位置調節部材４ｂの上部ピン挿通孔１６の順に挿通させて、第２リンク材２０と縦枠２側の位置調節部材４ｂとを回動可能に連結する。挿通後、上部ピン挿通孔１６を外周面からプレスして縦枠側ピン２７に圧着させるのがよい。
【００２２】
以上の組立て課程において、上側ガイドアーム３０のガイドピン３６は、縦枠２側の位置調節部材４ｅの上部ガイド部４ｃに設けたスライド溝に上方から係合させる。一方、下側ガイドアーム３１のガイドピン３7は、扉１側の位置調節部材３ｂの下部ガイド部３ｅに設けたスライド溝に下方から係合させる。
【００２３】
次に、扉１側の位置調節部材３ｂをケーシング本体３ａに取付ける。取付けは、後述する固定ねじ３８，３８および上下方向調節ねじ３９によって行われる。図４は位置調節部材３ｂをケーシング本体３ａに取付けた状態を示す断面図である。すなわち、図２および図４に示すように、固定ねじ３８，３８は位置調節部材３ｂに設けた長穴１０を挿通してケーシング本体３ａのねじ穴に螺合する。上下方向調節ねじ３９は、ワッシャ４０、偏心カム４１、ワッシャ４０を介して位置調節部材３ｂのねじ挿通孔１２およびケーシング本体３ａのねじ挿通孔８を挿通させ、ケーシング本体３ａの裏面側に配置された袋ナット４２に螺合する。このようにしてケーシング本体３ａに取付けた後、ケーシング本体３ａを扉１の端面に設けた凹部１００内に嵌めこみ、取付け孔５を挿通した取付けねじ（図示せず）で扉１に固定する。
【００２４】
一方、縦枠２の端面に設けた凹部１０１内には、あらかじめケーシング本体４ａがその取付け孔５を挿通した取付けねじ（図５に下部の取付けねじ４６を示す）によって固定されている。このとき、ケーシング本体４ａの内部下端面には、係合突起部４３が設けられている（図２参照）。また、ケーシング本体４ａの内部下端面と対向するように、位置調節部材４ｂの下端部には水平方向に折り曲げた折曲片４４が設けられており、この折曲片４４に長穴状の孔部４５が穿設されている(図３参照）。
孔部４５を長穴状にしているのは、本実施形態では、後述するように位置調節部材４ｂがケーシング本体４ａに対して前後位置調節機能を有しているので、当該前後位置調節に際して係合突起部４３が障害とならないようにするためである。
【００２５】
扉１を縦枠２の端面に取付けるには、図５および図６に示すように、扉１を持って縦枠側位置調節部材４ｂの下端部の端をケーシング本体４ａの下端面上に載置し、そのまま縦枠２の奥に押し込むと、折曲片４４の孔部４５に係合突起部４３が係合して、扉１を仮止めすることができる。これによって、従来、扉を持つ作業者と、扉を縦枠に固定する作業者とを必要としたのに対して、一人の作業者が扉を持ちながら、上記のように簡単に扉１を仮止めすることができるので、扉１を縦枠２の端面に取付ける作業性、施工性が大幅に向上する。
仮止め後、前後方向位置調節ねじ４６を長穴１７より挿通させ、ケーシング本体４ａの底面に設けたねじ孔１５に螺合させて扉１を縦枠２へ取付ける。
なお、前記係合突起部４３は、ケーシング本体４ａの上下端の内面に設けておくのが好ましい。これにより、ケーシング本体４ａを枠体２内に固定する際に、ケーシング本体４ａの上下を考慮することなく作業できるので、作業性、施工性が向上する。
【００２６】
扉１の取付け後、扉１の取付け位置を調節する。すなわち、縦枠２に対して扉１を上下方向、左右方向および前後方向に位置調節する。本実施形態では、扉１側の位置調節部材３ｂの底面に上下方向および左右方向の位置調節手段が設けられ、縦枠２側の位置調節部材４ｂの底面に前後方向の位置調節手段が設けられている。
【００２７】
以下、扉１の取付け位置調節手段および方法を説明する。
＜左右方向の位置調節＞
図４に示すように、扉１側のケーシング本体３ａの底面に設けた孔７の裏面側にはナット部材４７が固着されており、このナット部材４７に皿ねじ４８（左右方向調節ねじ）を螺合させる。ついで、前記したように位置調節部材３ｂをケーシング本体３ａ内に収容する。このとき、皿ねじ４８の上部に長穴１１が位置するように構成される。この長穴１１は皿ねじ４８に対してドライバー(図示せず)を挿入して操作でき、且つ皿ねじ４８が抜け出さない間隙を有する。従って、図７(a)、(b)に示すように、図示しないドライバーで皿ねじ４８を回してケーシング本体３ａの底面から皿ねじ４８を上げていくと、この皿ねじ４８に押されて位置調節部材３ｂが上がり、逆方向に回すと位置調節部材３ｂが下がる。これによって扉１を縦枠２に対して左右方向（矢印Ａで示す）に位置調節することができる。
【００２８】
このとき、所望の位置で確実に位置調節部材３ｂをケーシング本体３ａに固定（ロック）する必要がある。そのための手段として、固定ねじ３８が皿ねじ４８の近くに設けられる。この固定ねじ３８は、位置調節部材３ｂの長穴１０を挿通して、ケーシング本体３ａに設けたねじ孔６に螺合している。そのため、左右方向の位置調節時には、あらかじめ固定ねじ３８をゆるめて、位置調節部材３ｂを固定しないフリーな状態にし、この状態で前記皿ねじ４８を回して左右方向の位置調節を行い、位置調節後、固定ねじ３８を締め付ける。これにより、位置調節部材３ｂは皿ねじ４８の頭部に当接して止まるので、所望の位置で確実に固定することができる。
長穴１０、１１を上下方向に長く形成しているのは、後述する上下位置調節に障害とならないようにするためである。
【００２９】
＜前後方向の位置調節＞
図１に示すように、位置調節部材４ｂの底面には、水平方向に長い長孔１７が穿設されており、この長穴１７を挿通した前後方向位置調節ねじ４６を、ケーシング本体４ａの底面に設けたねじ孔１５に螺合させている。そのため、調節ねじ４６をゆるめ、位置調節部材４ｂを水平方向に長孔１７に沿って所望の位置までスライドさせ、再び調節ねじ４６を締め付ければよい。このようにして、扉１の位置を図７に矢印Ｂで示す前後方向に調節することができる。
【００３０】
＜上下方向の位置調節＞
扉1の上下方向の位置調節手段は、図２および図４に示すように、上下方向調節ねじ３９、ワッシャ４０、偏心カム４１、ワッシャ４０、およびケーシング本体３ａの裏面側に配置された袋ナット４２から構成される。偏心カム４１には上記調節ねじ３９と螺合するねじ孔３９ａが形成されている。この偏心カム４１を位置調節部材３ｂのねじ挿通孔１２に挿入し、両側にワッシャ４０、４０を配置した状態で、調節ねじ３９をワッシャ４０、４０のねじ挿通孔に挿通させ、偏心カム４１のねじ孔３９ａに螺合させた後、さらにケーシング本体３ａのねじ挿通孔８に挿通させて、袋ナット４２と螺合させ、ワッシャ４０、偏心カム４１およびワッシャ４０を一体に圧着する。
【００３１】
位置調節部材３ｂのねじ挿通孔１２は、偏心カム４１の回動に従動して位置調節部材３ｂを上下動させる形状を有する。位置調節部材３ｂの上下方向の位置調節を行うには、調節ねじ３９を左右いずれかの方向に回動させると、これに伴って図８に示すように、偏心カム４１が回動し、図８(a)に示す低位置から、同図（ｂ）に示す中間位置を経て、図８(ｃ)に示す高位置までの任意の上下位置に位置調節部材３ｂを調節することができ、これによって立て枠2に対する扉１の位調節置を簡単に行うことができる。
【００３２】
次に、本実施形態に係る隠し蝶番を用いた扉の開閉動作を図９(a)〜（e）に基づいて説明する。図９(a)は扉１を縦枠２に対して１８０°開いた状態を示している。この状態では、各ガイドアーム３０，３１の中央部のピン挿通孔３２，３３を挿通した中央ピン２５は扉１および縦枠２よりも外側に位置している。この状態から扉１を閉方向に回動させると、各ガイドアーム３０，３１のガイドピン３６，３７がそれぞれ係合するスライド溝１３，１８に沿ってスライドする。すなわち、扉1を開いた図９(a)の状態から同図の（ｂ）、（ｃ）、（ｄ）を経て、扉1を閉じた図９（e）の状態になる。図９（e）に示す閉じた状態では、図９(a)のときと違い、ガイドピン３６，３７はスライド溝１３，１８の反対側に位置している。
【００３３】
図９(a)〜（e）に示すように、本発明では、扉１と縦枠２との隙間Ｃは、殆ど変化がなく、本実施形態では約５ｍｍ以下と小さく設定されているので、幼児等が誤って扉１と縦枠２との隙間Ｃに指を挟む危険性をなくすことができ、安全性が高まる。
【００３４】
以上のように、本発明に係る隠し蝶番は、扉の外観を損なわず、また指を詰めるなどの事故を防止でき安全性が高いという利点を有すると共に、回動自在に連結されたケーシング３，4の上下にガイドアーム３０，３１を配設した、いわゆる３層構造とすることにより、コンパクト化が可能となり、そのため扉や縦枠の薄型化に対応することができるようになる。
また、上記のように３層構造とすることにより、扉１を任意な開き角度（例えば９０°、１８０°等）で開いた状態で、ケーシング３，4内にドライバーを差し込んで３方向の位置調節ができるようにしたので、隠し蝶番のコンパクト化により大きく寄与することができる。
さらに、ケーシング本体４ａの内部下端面に係合突起部４３を設け、ケーシング本体４ａへの位置調節部材４ｂの取付け時に、該係合突起部４３を位置調節部材４ｂの孔部４５に係合させて仮止めすることができるので、扉１の取付け作業が簡単に成り、扉の取付けに際しての作業性、施工性が向上する。
【００３５】
なお、本発明は上記の実施形態に限定されるものではなく、特許請求の範囲の記載の範囲内において種々の改良や変更が可能であることはいうまでもない。
【図面の簡単な説明】
【００３６】
【図１】本発明の一実施形態にかかる隠し蝶番を示す正面図である。
【図２】図１に示す隠し蝶番の分解斜視図である。
【図３】図１のＸ-Ｘ線断面図である。
【図４】扉側への隠し蝶番の取付け状態を示す縦断面図である。
【図５】縦枠への仮止め方法を示す横断面図である。
【図６】(a)〜(ｃ)は縦枠への仮止め手順を示す縦断面図である。
【図７】(a)、(b)は縦枠への扉の左右方向および前後方向の位置調節方法を示す横断面図である。
【図８】(a)〜(ｃ)は縦枠への扉の上下方向の位置調節方法を示す説明図である。
【図９】(a)〜(e)は縦枠への扉の取付け手順を示す説明図である。
【図１０】通常の隠し蝶番を示す正面図である。
【図１１】図１０に示す通常の隠し蝶番の横断面図であり、(a)は扉を閉じた状態を、（ｂ）は扉を１８０°開いた状態をそれぞれ示している。
【符号の説明】
【００３７】
１  扉
２  縦枠
３  ケーシング
４  ケーシング
５  取付け孔
１３  スライド溝
１８  スライド溝
１９  第１のリンク材
２０  第２のリンク材
２５  中央ピン
２６  ピン
２７  ピン
３０  ガイドアーム
３１  ガイドアーム
【図１】
2008008015.tif 000003
【図２】
2008008015.tif 000004
【図３】
2008008015.tif 000005
【図４】
2008008015.tif 000006
【図５】
2008008015.tif 000007
【図６】
2008008015.tif 000008
【図７】
2008008015.tif 000009
【図８】
2008008015.tif 000010
【図９】
2008008015.tif 000011
【図１０】
2008008015.tif 000012
【図１１】
2008008015.tif 000013